(57)【特許請求の範囲】
【請求項１】
熱可塑性プラスチックシートの真空成形品であって、タバコパッケージの上部に嵌まり合う形状で各コーナーに丸みが付けられたキャップ部と、キャップ部の開口縁における長い方の一辺に折曲げ線を介して連設する収納部と、収納部の先端に折曲げ線を介して連設する蓋パネル部とを備え、収納部はキャップ部の高さと同じ幅をした連結部分とそれに隣接してキャップ部と同じ側に膨らんだ形状の膨出部分とを有し、蓋パネル部は先端に差込み部分を有しており、キャップ部における収納部側の上端縁に所定長さのスリットが形成されるとともに、収納部の連結部分と膨出部分との境界にも所定長さのスリットが形成されており、収納部をキャップ部に対して折り曲げて膨出部分をキャップ部の上に位置させた状態では、２つのスリットが重なり合うとともに、膨出部分の開口を覆うように折り返した蓋パネル部の先端にある差込み部分がその重なり合った２つのスリットに差込み可能になっていることを特徴とするタバコパッケージ用付属容器。
【請求項２】
キャップ部が周壁に段部を有していることを特徴とする請求項１に記載のタバコパッケージ用付属容器。
【請求項３】
収納部における膨出部分の形状をキャップ部よりも横に長い形状したことを特徴とする請求項１又は２に記載のタバコパッケージ用付属容器。
【請求項４】
蓋パネル部に補強リブを設けたことを特徴とする請求項１〜３のいずれかに記載のタバコパッケージ用付属容器。
【請求項５】
キャップ部と収納部との境界に位置する折曲げ線がミシン目で形成されていることを特徴とする請求項１〜４のいずれかに記載のタバコパッケージ用付属容器。
【発明の詳細な説明】
【技術分野】
【０００１】
本発明は、タバコパッケージに景品等の付属物品を添付するために使用されるタバコパッケージ用付属容器に関するものである。
【背景技術】
【０００２】
従来より、タバコの販売促進を図るため、ライター等の付属物品を景品として添付することが行われている。この場合、タバコパッケージの中に付属物品を入れるのは難しいので、タバコパッケージと一体化しうる付属容器を準備し、その中に付属物品を入れた形態で販売することが望ましい。そこで、このような付属容器として、ＰＥＴ等の透明プラスチックシートにより形成し、タバコパッケージに取り付けられる取付部と、付属物品を収納しうる収納部と、収納した付属物品を固定しうる固定部とを設けたタイプの容器が知られている。
【特許文献１】実用新案登録第３１１１５１４号公報
【発明の開示】
【発明が解決しようとする課題】
【０００３】
従来の技術で挙げた付属容器は、中に付属物品を入れた状態でボックスタイプのタバコパッケージの上部に取り付けられ、また透明であるために中の付属物品が見えるので、店頭等にて効率的に展示できるとともに販売しやすいという利点がある。ところが、透明プラスチックシートを打ち抜いた一枚のブランクを組み立てることにより形成されているため、形状が複雑であって組立がそれほど簡単ではない。特に、人手で組み立てることを考えると、手間が掛かってコストが高くなってしまう。
【０００４】
また、取付部はキャップ形状に形成されているため、タバコパッケージの上部への取付が容易ではあるものの、箱状に組み立てた取付部を単に差し込んでいるだけであるので簡単に外れる恐れもある。
【０００５】
また、タバコパッケージの上部に取り付けるタイプでは、タバコパッケージの横幅より大きなサイズの景品、例えば通常サイズよりも小さな小型のライターしか付けることができず、付属物品の選択の幅が狭いという問題点があった。
【０００６】
本発明は、上記のような問題点に鑑みてなされたものであり、その目的とするところは、組立がワンタッチで行える上に、タバコパッケージの上部にしっかりと固定することができ、付属物品の選択の幅が広く、しかも安価に供給できるタバコパッケージ用付属容器を提供することにある。
【課題を解決するための手段】
【０００７】
請求項１に記載の発明であるタバコパッケージ用付属容器は、熱可塑性プラスチックシートの真空成形品であって、タバコパッケージの上部に嵌まり合う形状で各コーナーに丸みが付けられたキャップ部と、キャップ部の開口縁における長い方の一辺に折曲げ線を介して連設する収納部と、収納部の先端に折曲げ線を介して連設する蓋パネル部とを備え、収納部はキャップ部の高さと同じ幅をした連結部分とそれに隣接してキャップ部と同じ側に膨らんだ形状の膨出部分とを有し、蓋パネル部は先端に差込み部分を有しており、キャップ部における収納部側の上端縁に所定長さのスリットが形成されるとともに、収納部の連結部分と膨出部分との境界にも所定長さのスリットが形成されており、収納部をキャップ部に対して折り曲げて膨出部分をキャップ部の上に位置させた状態では、２つのスリットが重なり合うとともに、膨出部分の開口を覆うように折り返した蓋パネル部の先端にある差込み部分がその重なり合った２つのスリットに差込み可能になっていることを特徴としている。
【０００８】
請求項２に記載の発明であるタバコパッケージ用付属容器は、請求項１に記載のタバコパッケージ用付属容器において、キャップ部が周壁に段部を有していることを特徴としている。
【０００９】
請求項３に記載の発明であるタバコパッケージ用付属容器は、請求項１又は２に記載のタバコパッケージ用付属容器において、収納部における膨出部分の形状をキャップ部よりも横に長い形状したことを特徴としている。
【００１０】
請求項４に記載の発明であるタバコパッケージ用付属容器は、請求項１〜３のいずれかに記載のタバコパッケージ用付属容器において、蓋パネル部に補強リブを設けたことを特徴としている。
【００１１】
請求項５に記載の発明であるタバコパッケージ用付属容器は、請求項１〜４のいずれかに記載のタバコパッケージ用付属容器において、キャップ部と収納部との境界に位置する折曲げ線がミシン目で形成されていることを特徴としている。
【発明の効果】
【００１２】
請求項１に記載の発明であるタバコパッケージ用付属容器は、収納部の膨出部分に付属物品を入れてから、収納部をキャップ部に対して折り曲げて膨出部分をキャップ部の上に位置させた状態とした後、膨出部分の開口を覆うようにして蓋パネル部を折り返しつつ、蓋パネル部の先端にある差込み部分を重なった２つのスリット、すなわち収納部の連結部分と膨出部分との境界にあるスリットとキャップ部における収納部側の上端縁にあるスリットに差し込むことにより、収納部をキャップ部に対してしっかりと固定した状態で、付属物品を収納部に収納することができる。そして、その収納状態でキャップ部をタバコパッケージの上部に押し込むことにより、簡単にタバコパッケージの上部に取り付けることができる。また、キャップ部の各コーナーに丸みがあるので、タバコパッケージの上部に差し込んで押し込むとコーナーのところで緊張状態となり、しっかりと固定することができる。また、収納部における膨出部分の形状を変えるだけで、種々の物品を収納することができるので、付属物品の選択の幅が広いという利点もある。また、真空成形品であって、組立の手間もかからないことから、安価に供給することができる。
【００１３】
請求項２に記載の発明であるタバコパッケージ用付属容器は、ボックスタイプのタバコパッケージに対しては段部のところまで押し込んで固定でき、紙で包装されたソフトタイプのタバコパッケージに対しては奥まで押し込んで固定できるので、上記効果に加え、２種類の異なるタイプのタバコパッケージのいずれにも取り付けることができるという効果を奏する。
【００１４】
請求項３に記載の発明であるタバコパッケージ用付属容器は、タバコパッケージの横幅より長い収納空間が得られるので、上記効果に加え、タバコパッケージの横幅よりも大きなサイズの付属物品も添付することができるという効果を奏する。
【００１５】
請求項４に記載の発明であるタバコパッケージ用付属容器は、背板の機能を果たす蓋パネル部に補強リブがあることによって収納部がキャップ部に対して撓みにくくなるので、上記効果に加え、より安定した状態でタバコパッケージに取り付けることができるという効果を奏する。
【００１６】
請求項５に記載の発明であるタバコパッケージ用付属容器は、収納部をキャップ部に対して折り曲げる作業が簡単に行え、収納部の連結部分がキャップ部の側面に沿いやすくなるので、上記効果に加え、手作業による組立工程の負荷を軽減することができるという効果を奏する。
【発明を実施するための最良の形態】
【００１７】
以下、図面を参照して本発明の実施の形態を説明する。
【００１８】
図１は本発明に係るタバコパッケージ用付属容器の一例を示す斜視図、図２は図１のタバコパッケージの正面図、図３は同じく背面図、図４は同じく平面図、図５は同じく側面図であり、図６は図１のタバコパッケージ用付属容器を組み立てた状態で示す前方からの斜視図、図７は同じく後方からの斜視図、図８は図１のタバコパッケージ用付属容器を使用状態で示す斜視図である。
【００１９】
このタバコパッケージ用付属容器１０は、素材がＰＥＴからなるプラスチックシートを真空成形して作製された全体が透明なものであり、図１〜図５に示すように、タバコパッケージの上部に嵌まり合う形状で各コーナーに丸み（Ｒ）が付けられたキャップ部１１と、キャップ部１１の開口縁における長い方の一辺に折曲げ線αを介して連設する収納部１２と、収納部１２の先端に折曲げ線βを介して連設する蓋パネル部１３とを備え、収納部１２はキャップ部１１の高さと同じ幅をした連結部分１２ａとそれに隣接してキャップ部１１と同じ側に膨らんだ形状の膨出部分１２ｂとを有し、蓋パネル部１３は幅が狭くなった差込み部分１３ａを先端に有している。そして、図から分かるように、収納部１２の膨出部分１２ａは、キャップ部１１よりも横に長い扁平形状をしており、図８に示すようにタバコパッケージＴの横幅よりも長い通常サイズのライターＬを横向きで収納できるようになっている。
【００２０】
また、キャップ部１１における収納部１２側の上端縁に所定長さのスリットＳａが形成されるとともに、収納部１２の連結部分１２ａと膨出部分１２ｂとの境界にも所定長さのスリットＳｂが形成されており、図６及び図７に示す如く収納部１２をキャップ部１１に対して折り曲げて膨出部分１２ｂをキャップ部１１の上に位置させた状態では、２つのスリットＳａ，Ｓｂが重なり合うとともに、膨出部分１２ｂの開口を覆うように折り返した蓋パネル部１３の先端にある差込み部分１３ａがその重なり合った２つのスリットＳａ，Ｓｂに差込み可能になっている。これらのスリットＳａ，Ｓｂにはその両端に傾斜部分を設けてあり、蓋パネル部１３の差込み部分１３ａを差し込みやすくしてある。また、蓋パネル部１３の差込み部分１３ａの根元には両側からＶ字状の切込を形成してあり、スリットＳａ，Ｓｂから簡単に抜けないようにしてある。なお、折曲げ線α，βは、折曲げやすさを考慮してミシン目で形成されている。
【００２１】
付属容器１０におけるキャップ部１１の各コーナーには前記したように丸みが付けられている。すなわち、取り付ける対象となるタバコパッケージＴの角よりも大きめの丸みが付いており、この丸みは真空成形を行う金型のコーナーに所定半径の丸みを付けておくことで簡単に賦形することができる。また、キャップ部１１の開口における収納部１２と蓋パネル部１３とが連設していない部位には、その縁に僅かに外側に延びたバリ１１ａの部分が残っており、キャップ部１１をタバコパッケージＴの上部に差し込む時に、このバリ１１ａの部分が案内の役目を果たすので好都合である。
【００２２】
また、この付属容器１０におけるキャップ部１１の周壁には奥の方が狭くなるように段部１１ｂが設けられており、２種類の異なるタイプのタバコパッケージに対応できるようになっている。すなわち、ボックスタイプのタバコパッケージが段部１１ｂのところに係止するように、また紙で包装されたソフトタイプのタバコパッケージがキャップ部１１の奥まで入るように設計されている。
【００２３】
このタバコパッケージ用付属容器１０は、付属物品として通常サイズのライターを横向きに入れるようになっている。ライターを収納するには、収納部１２の膨出部分１２ｂにライターを入れた状態でキャップ部１１を折曲げ線αのところで折り曲げ、キャップ部１１のスリットＳａと収納部１２のスリットＳｂを重ね合わせてから、膨出部分１２ｂを塞ぐようにして蓋パネル部１３を折り返しつつ、その先端の差込み部分１３ａを重なり合った２つのスリットＳａ，Ｓｂに差し込むようにする。これによりライターを横向きで落下しない状態で収納することができる。この収納状態では、蓋パネル部１３がキャップ部１１と収納部１２を繋ぐ背板の役目を果たし、収納部１２をキャップ部１１の上方位置に保持する。ライターを取り出す時は、蓋パネル部１３の差込み部分１３ａを重なり合った２つのスリットＳａ，Ｓｂから引っ張りだして外せばよい。
【００２４】
付属物品であるライターＬを収納した状態の付属容器１０を図８に示すようにタバコパッケージＴに取り付ける。図８に示すボックスタイプのタバコパッケージＴの場合には、キャップ部１１をタバコパッケージＴの上部に差し込み、段部１１ａのところまで押し込んで取り付ける。また、紙で包装されたソフトタイプのタバコパッケージの場合は、キャップ部１１の奥まで押し込んで取り付ける。このように、付属容器１０をタバコパッケージＴの上部に取り付けると、キャップ部１１の各コーナーに丸み（Ｒ）があるので緊張状態となり、しっかりと固定されることになる。そして、ライターＬはタバコパッケージＴの上に横向きに載った状態になっているので、店頭にて並べる時に前後方向には邪魔にならないし、お客さんにとってはライターＬが良く見えることになる。
【００２５】
図９は本発明に係るタバコパッケージ用付属容器の別の例を示す斜視図、図１０は図９のタバコパッケージの正面図、図１１は同じく背面図、図１２は同じく平面図、図１３は同じく側面図であり、図１４は図９のタバコパッケージ用付属容器を組み立てた状態で示す前方からの斜視図、図１５は同じく後方からの斜視図、図１６は図９のタバコパッケージ用付属容器を使用状態で示す斜視図である。なお、この例のタバコパッケージ用付属容器は、基本的には図１〜８で説明したタバコパッケージ用付属容器と同じ構成をしているので、同様な部位には同じ符号を付して説明する。
【００２６】
このタバコパッケージ用付属容器１０は、素材がＰＥＴからなるプラスチックシートを真空成形して作製された全体が透明なものであり、図９〜図１３に示すように、タバコパッケージの上部に嵌まり合う形状で各コーナーに丸み（Ｒ）が付けられたキャップ部１１と、キャップ部１１の開口縁における長い方の一辺に折曲げ線αを介して連設する収納部１２と、収納部１２の先端に折曲げ線βを介して連設する蓋パネル部１３とを備え、収納部１２はキャップ部１１の高さと同じ幅をした連結部分１２ａとそれに隣接してキャップ部１１と同じ側に膨らんだ形状の膨出部分１２ｂとを有し、蓋パネル部１３は幅が狭くなった差込み部分１３ａを先端に有している。そして、図から分かるように、収納部１２の膨出部分１２ａは、キャップ部１１の横幅よりも横に長く、高さはキャップ部１１の縦幅と略同じだけの高さがあり、しかもキャップ部１１から遠い方の側面が傾斜した形状をしており、図１６に示すようにタバコパッケージＴの横幅よりも長い通常サイズのライターＬを斜めに寝かせた状態で収納できるようになっている。
【００２７】
また、キャップ部１１における収納部１２側の上端縁に所定長さのスリットＳａが形成されるとともに、収納部１２の連結部分１２ａと膨出部分１２ｂとの境界にも所定長さのスリットＳｂが形成されており、図１４及び図１５に示す如く収納部１２をキャップ部１１に対して折り曲げて膨出部分１２ｂをキャップ部１１の上に位置させた状態では、２つのスリットＳａ，Ｓｂが重なり合うとともに、膨出部分１２ｂの開口を覆うように折り返した蓋パネル部１３の先端にある差込み部分１３ａがその重なり合った２つのスリットＳａ，Ｓｂに差込み可能になっている。これらのスリットＳａ，Ｓｂにはその両端に傾斜部分を設けてあり、蓋パネル部１３の差込み部分１３ａを差し込みやすくしてある。また、蓋パネル部１３の差込み部分１３ａの根元には両側からＶ字状の切込を形成してあり、スリットＳａ，Ｓｂから簡単に抜けないようにしてある。なお、折曲げ線α，βは、折曲げやすさを考慮してミシン目で形成されている。
【００２８】
そして、キャップ部１１の各コーナーには丸みが付けられており、この丸みは取り付ける対象となるタバコパッケージＴの角よりも大きめの丸みであること、さらにこの丸みは真空成形を行う金型のコーナーに所定半径の丸みを付けておくことで簡単に賦形することができることも前記したのと同様である。また、キャップ部１１の開口における収納部１２と蓋パネル部１３とが連設していない部位には、その縁に僅かに外側に延びたバリ１１ａの部分が残っており、キャップ部１１をタバコパッケージＴの上部に差し込む時に、このバリ１１ａの部分が案内の役目を果たすのも前記したのと同様である。
【００２９】
また、この付属容器１０におけるキャップ部１１の周壁には奥の方が狭くなるように段部１１ｂが設けられており、２種類の異なるタイプのタバコパッケージに対応できるようになっている点も前記の付属容器の場合と同様である。すなわち、ボックスタイプのタバコパッケージが段部１１ｂのところに係止するように、また紙で包装されたソフトタイプのタバコパッケージがキャップ部１１の奥まで入るように設計されている。
【００３０】
このタバコパッケージ用付属容器１０は、付属物品として通常サイズのライターを斜め向きに入れるようになっている。ライターを収納するには、収納部１２の膨出部分１２ｂにライターを入れた状態でキャップ部１１を折曲げ線αのところで折り曲げ、キャップ部１１のスリットＳａと収納部１２のスリットＳｂを重ね合わせてから、膨出部分１２ｂを塞ぐようにして蓋パネル部１３を折り返しつつ、その先端の差込み部分１３ａを重なり合った２つのスリットＳａ，Ｓｂに差し込むようにする。これによりライターを斜め向きで落下しない状態で収納することができる。この収納状態では、蓋パネル部１３がキャップ部１１と収納部１２を繋ぐ背板の役目を果たし、収納部１２をキャップ部１１の上方位置に保持する。ライターを取り出す時は、蓋パネル部１３の差込み部分１３ａを重なり合った２つのスリットＳａ，Ｓｂから引っ張りだして外せばよい。
【００３１】
付属物品であるライターＬを収納した状態の付属容器１０を図１６に示すようにタバコパッケージＴに取り付ける。図１６に示すボックスタイプのタバコパッケージＴの場合には、キャップ部１１をタバコパッケージＴの上部に差し込み、段部１１ａのところまで押し込んで取り付ける。また、紙で包装されたソフトタイプのタバコパッケージの場合は、キャップ部１１の奥まで押し込んで取り付ける。このように、付属容器１０をタバコパッケージＴの上部に取り付けると、キャップ部１１の各コーナーに丸み（Ｒ）があるので緊張状態となり、しっかりと固定されることになる。そして、ライターＬはタバコパッケージＴの縦幅を越えない状態で斜めに寝ているので、店頭にて並べる時に前後方向には邪魔にならないし、お客さんにとってはライターＬの側面が目の方向を向くことになるので、タバコパッケージＴが前後に重なっていても、付属物品のライターＬを目立たせることができる。
【００３２】
図１７は本発明に係るタバコパッケージ用付属容器のさらに別の例を示す斜視図、図１８は図１７のタバコパッケージの正面図、図１９は同じく背面図、図２０は同じく平面図、図２１は同じく側面図であり、図２２は図１７のタバコパッケージ用付属容器を組み立てた状態で示す前方からの斜視図、図２３は同じく後方からの斜視図、図２４は図１７のタバコパッケージ用付属容器を使用状態で示す斜視図である。なお、この例のタバコパッケージ用付属容器は、基本的には図１〜８で説明したタバコパッケージ用付属容器と同じ構成をしているので、同様な部位には同じ符号を付して説明する。
【００３３】
このタバコパッケージ用付属容器１０は、素材がＰＥＴからなるプラスチックシートを真空成形して作製された全体が透明なものであり、図１７〜図２１に示すように、タバコパッケージの上部に嵌まり合う形状で各コーナーに丸み（Ｒ）が付けられたキャップ部１１と、キャップ部１１の開口縁における長い方の一辺に折曲げ線αを介して連設する収納部１２と、収納部１２の先端に折曲げ線βを介して連設する蓋パネル部１３とを備え、収納部１２はキャップ部１１の高さと同じ幅をした連結部分１２ａとそれに隣接してキャップ部１１と同じ側に膨らんだ形状の膨出部分１２ｂとを有し、蓋パネル部１３は幅が狭くなった差込み部分１３ａを先端に有しており、さらに蓋パネル部１３にはその両サイドに補強リブ１３ｂが設けられている。そして、図から分かるように、収納部１２の膨出部分１２ａは、キャップ部１１よりも少しだけ横に長く、高さはキャップ部１１の縦幅と略同じだけの高さがあり、しかもキャップ部から遠い方の側面が傾斜した形状をしており、図２４に示すようにタバコパッケージＴの横幅よりも少し長めの小型サイズのライターＬを斜めに寝かせた状態で収納できるようになっている。
【００３４】
また、キャップ部１１における収納部１２側の上端縁に所定長さのスリットＳａが形成されるとともに、収納部１２の連結部分１２ａと膨出部分１２ｂとの境界にも所定長さのスリットＳｂが形成されており、図２２及び図２３に示す如く収納部１２をキャップ部１１に対して折り曲げて膨出部分１２ｂをキャップ部１１の上に位置させた状態では、２つのスリットＳａ，Ｓｂが重なり合うとともに、膨出部分１２ｂの開口を覆うように折り返した蓋パネル部１３の先端にある差込み部分１３ａがその重なり合った２つのスリットＳａ，Ｓｂに差込み可能になっている。これらのスリットＳａ，Ｓｂにはその両端に傾斜部分を設けてあり、蓋パネル部１３の差込み部分１３ａを差し込みやすくしてある。また、蓋パネル部１３の差込み部分１３ａの根元には両側からＶ字状の切込を形成してあり、スリットＳａ，Ｓｂから簡単に抜けないようにしてある。そして、この付属容器１０では、蓋パネル部１３の差込み部分１３ａをスリットＳａ，Ｓｂに差し込んだ時に、補強リブ１３ｂの一部分が収納部１２の連結部分１２ａの裏側に位置するように、蓋パネル部１３はその両サイドが差込み部分１３ａの方に向けて突設されている。なお、折曲げ線α，βは、折曲げやすさを考慮してミシン目で形成されている。
【００３５】
そして、キャップ部１１の各コーナーには丸みが付けられており、この丸みは取り付ける対象となるタバコパッケージＴの角よりも大きめの丸みであること、さらにこの丸みは真空成形を行う金型のコーナーに所定半径の丸みを付けておくことで簡単に賦形することができることも前記したのと同様である。また、キャップ部１１の開口における収納部１２と蓋パネル部１３とが連設していない部位には、その縁に僅かに外側に延びたバリ１１ａの部分が残っており、キャップ部１１をタバコパッケージＴの上部に差し込む時に、このバリ１１ａの部分が案内の役目を果たすのも前記したのと同様である。
【００３６】
また、この付属容器１０におけるキャップ部１１の周壁には奥の方が狭くなるように段部１１ｂが設けられており、２種類の異なるタイプのタバコパッケージに対応できるようになっている点も前記の付属容器の場合と同様である。すなわち、ボックスタイプのタバコパッケージが段部１１ｂのところに係止するように、また紙で包装されたソフトタイプのタバコパッケージがキャップ部１１の奥まで入るように設計されている。
【００３７】
このタバコパッケージ用付属容器１０は、付属物品として小型サイズのライターを斜め向きに入れるようになっている。ライターを収納するには、収納部１２の膨出部分１２ｂにライターを入れた状態でキャップ部１１を折曲げ線αのところで折り曲げ、キャップ部１１のスリットＳａと収納部１２のスリットＳｂを重ね合わせてから、膨出部分１２ｂを塞ぐようにして蓋パネル部１３を折り返しつつ、その先端の差込み部分１３ａを重なり合った２つのスリットＳａ，Ｓｂに差し込むようにする。これによりライターを斜め向きで落下しない状態で収納することができる。この収納状態では、蓋パネル部１３がキャップ部１１と収納部１２を繋ぐ背板の役目を果たし、収納部１２をキャップ部１１の上方位置に保持する。この時、蓋パネル部１３には補強リブ１３ｂがあり、しかもその補強リブ１３ｂの一部分が収納部１２の連結部分１２ａを介してキャップ部１１の裏側に位置するので、収納部１２はキャップ部１１に対してぐらつきが防止された状態となる。ライターを取り出す時は、蓋パネル部１３の差込み部分１３ａを重なり合った２つのスリットＳａ，Ｓｂから引っ張りだして外せばよいことは前記したのと同じである。
【００３８】
付属物品であるライターＬを収納した状態の付属容器１０は、図２４に示すようにタバコパッケージＴに取り付ける。図２４に示すボックスタイプのタバコパッケージＴの場合には、キャップ部１１をタバコパッケージＴの上部に差し込み、段部１１ａのところまで押し込んで取り付ける。また、紙で包装されたソフトタイプのタバコパッケージの場合は、キャップ部１１の奥まで押し込んで取り付ける。このように、付属容器１０をタバコパッケージＴの上部に取り付けると、キャップ部１１の各コーナーに丸み（Ｒ）があるので緊張状態となり、しっかりと固定されることになる。そして、ライターＬはタバコパッケージＴの縦幅を越えない状態で斜めに寝ているので、店頭にて並べる時に前後方向には邪魔にならないし、お客さんにとってはライターＬの側面が目の方向を向くことになるので、タバコパッケージＴが前後に重なっていても、付属物品のライターＬを目立たせることができる。
【００３９】
図２５は本発明に係るタバコパッケージ用付属容器のさらに別の例を示す斜視図、図２６は図２５のタバコパッケージの正面図、図２７は同じく背面図、図２８は同じく平面図、図２９は同じく側面図であり、図３０は図２５のタバコパッケージ用付属容器を組み立てた状態で示す前方からの斜視図、図３１は同じく後方からの斜視図、図３２は図２５のタバコパッケージ用付属容器を使用状態で示す斜視図である。なお、この例のタバコパッケージ用付属容器は、基本的には図１〜８で説明したタバコパッケージ用付属容器と同じ構成をしているので、同様な部位には同じ符号を付して説明する。
【００４０】
このタバコパッケージ用付属容器１０は、素材がＰＥＴからなるプラスチックシートを真空成形して作製された全体が透明なものであり、図２５〜図２９に示すように、タバコパッケージの上部に嵌まり合う形状で各コーナーに丸み（Ｒ）が付けられたキャップ部１１と、キャップ部１１の開口縁における長い方の一辺に折曲げ線αを介して連設する縦に長い収納部１２と、収納部１２の先端に折曲げ線βを介して連設するこれもまた縦に長い蓋パネル部１３とを備えており、収納部１２はキャップ部１１の高さと同じ幅をした連結部分１２ａとそれに隣接して一部がキャップ部１１と同じ側に膨らんだ形状の膨出部分１２ｂとを有し、蓋パネル部１３は幅が狭くなった差込み部分１３ａを先端に有しており、さらに蓋パネル部１３には両サイドに１本ずつと中程に２本の計４本の補強リブ１３ｂが設けられ、中程の２本の補強リブ１３ｂは差し込み部分１３ａにも渡るように全体を縦断して設けられている。そして、図から分かるように、収納部１２の膨出部分１２ａは、全体がキャップ部１１と略同じ横幅ではあるが縦方向には長く、その中程が収納部分となるようにキャップ部１１と略同じ高さに突き出た形状をしており、図２４に示すように普通サイズのライターＬを斜め方向で収納できるようになっている。
【００４１】
また、キャップ部１１における収納部１２側の上端縁に所定長さのスリットＳａが形成されるとともに、収納部１２の連結部分１２ａと膨出部分１２ｂとの境界にも所定長さのスリットＳｂが形成されており、図２２及び図２３に示す如く収納部１２をキャップ部１１に対して折り曲げて膨出部分１２ｂをキャップ部１１の上に位置させた状態では、２つのスリットＳａ，Ｓｂが重なり合うとともに、膨出部分１２ｂの開口を覆うように折り返した蓋パネル部１３の先端にある差込み部分１３ａがその重なり合った２つのスリットＳａ，Ｓｂに差込み可能になっている。これらのスリットＳａ，Ｓｂにはその両端に傾斜部分を設けてあり、蓋パネル部１３の差込み部分１３ａを差し込みやすくしてある。また、蓋パネル部１３の差込み部分１３ａの根元には両側からＶ字状の切込を形成してあり、スリットＳａ，Ｓｂから簡単に抜けないようにしてある。そして、この付属容器１０では、蓋パネル部１３における中程の２本の補強リブ１３ｂが差込み部分１３にも通っているので、差込み部分１３ａをスリットＳａ，Ｓｂに差し込んだ時に、収納部１２がキャップ部１１に対してしっかりと固定されることになる。なお、折曲げ線α，βは、折曲げやすさを考慮してミシン目で形成されている。
【００４２】
そして、キャップ部１１の各コーナーには丸みが付けられており、この丸みは取り付ける対象となるタバコパッケージＴの角よりも大きめの丸みであること、さらにこの丸みは真空成形を行う金型のコーナーに所定半径の丸みを付けておくことで簡単に賦形することができることも前記したのと同様である。また、キャップ部１１の開口における収納部１２と蓋パネル部１３とが連設していない部位には、その縁に僅かに外側に延びたバリ１１ａの部分が残っており、キャップ部１１をタバコパッケージＴの上部に差し込む時に、このバリ１１ａの部分が案内の役目を果たすのも前記したのと同様である。
【００４３】
また、この付属容器１０におけるキャップ部１１の周壁には奥の方が狭くなるように段部１１ｂが設けられており、２種類の異なるタイプのタバコパッケージに対応できるようになっている点も前記の付属容器の場合と同様である。すなわち、ボックスタイプのタバコパッケージが段部１１ｂのところに係止するように、また紙で包装されたソフトタイプのタバコパッケージがキャップ部１１の奥まで入るように設計されている。
【００４４】
このタバコパッケージ用付属容器１０は、付属物品として普通サイズのライターを斜め方向に入れるようになっている。ライターを収納するには、収納部１２における膨出部分１２ｂのくぼみにライターを入れた状態でキャップ部１１を折曲げ線αのところで折り曲げ、キャップ部１１のスリットＳａと収納部１２のスリットＳｂを重ね合わせてから、膨出部分１２ｂを塞ぐようにして蓋パネル部１３を折り返しつつ、その先端の差込み部分１３ａを重なり合った２つのスリットＳａ，Ｓｂに差し込むようにする。これによりライターを斜め方向で落下しない状態で収納することができる。この収納状態では、蓋パネル部１３がキャップ部１１と収納部１２を繋ぐ背板の役目を果たし、収納部１２をキャップ部１１の上方位置に保持する。この時、蓋パネル部１３には４本の補強リブ１３ｂがあり、しかもその中程の２本の補強リブ１３ｂは差込み部分にも通っているので、収納部１２は縦に長いサイズでありながらもキャップ部１１に対してしっかりと固定され、ぐらつきが防止された状態となる。ライターを取り出す時は、蓋パネル部１３の差込み部分１３ａを重なり合った２つのスリットＳａ，Ｓｂから引っ張りだして外せばよいことは前記したのと同じである。
【００４５】
付属物品であるライターＬを収納した状態の付属容器１０は、図２４に示すようにタバコパッケージＴに取り付ける。図２４に示すボックスタイプのタバコパッケージＴの場合には、キャップ部１１をタバコパッケージＴの上部に差し込み、段部１１ａのところまで押し込んで取り付ける。また、紙で包装されたソフトタイプのタバコパッケージの場合は、キャップ部１１の奥まで押し込んで取り付ける。このように、付属容器１０をタバコパッケージＴの上部に取り付けると、キャップ部１１の各コーナーに丸み（Ｒ）があるので緊張状態となり、しっかりと固定されることになる。そして、ライターＬはタバコパッケージＴの横幅を越えない状態でタバコパッケージＴの上方にて斜め方向になっているので、店頭にて並べる時に前後方向にも左右方向にも邪魔にならないし、お客さんにとってはライターＬが高い位置に見えるので、タバコパッケージＴが沢山並んでいても、付属物品のライターＬを目立たせることができる。
【００４６】
以上、４つの具体例を挙げて本発明の実施の形態について詳細に説明してきたが、本発明によるタバコパッケージ用付属容器は、上記した実施の形態に何ら限定されるものではなく、本発明の趣旨を逸脱しない範囲において種々の変更が可能であることは当然のことである。
【００４７】
例えば、上記の例では、素材がＰＥＴからなるプラスチックシートの場合を例に挙げたが、塩化ビニル、ポリエチレン等、他の素材のプラスチックシートを使用することもできる。ただ、リサイクル等の環境問題の観点からＰＥＴを用いることが好ましい。
【００４８】
また、付属物品としては、ライターの他に、キーホルダーやアクセサリーなどの小物を始めとして種々のものが挙げられ、アイデアに応じて適宜決められるものであって特に限定はない。そして、その付属物品の形状に対応して収納部における膨出部分の形状も適宜決めればよい。
【００４９】
また、上記の例では、キャップ部１１と収納部１２の間の折曲げ線αと、収納部１２と蓋パネル部１３の間の折曲げ線βをそれぞれミシン目としたが、単なる押し罫でも構わない。ただ、ミシン目の方が折り曲げやすくなるため、組立時の手作業が楽になる。
【００５０】
また、上記の例では、キャップ部に段部を設けて２つの異なるタイプのタバコパッケージに使用できるようにしたが、このような段部を設けずに、いずれか一方のタバコパッケージのみに使用できるようにしてもよい。
【図面の簡単な説明】
【００５１】
【図１】本発明に係るタバコパッケージ用付属容器の一例を示す斜視図である。
【図２】図１のタバコパッケージの正面図である。
【図３】図１のタバコパッケージの背面図である。
【図４】図１のタバコパッケージの平面図である。
【図５】図１のタバコパッケージの側面図である。
【図６】図１のタバコパッケージ用付属容器を組み立てた状態で示す前方からの斜視図である。
【図７】図１のタバコパッケージ用付属容器を組み立てた状態で示す後方からの斜視図である。
【図８】図１のタバコパッケージ用付属容器を使用状態で示す斜視図である。
【図９】本発明に係るタバコパッケージ用付属容器の別の例を示す斜視図である。
【図１０】図９のタバコパッケージの正面図である。
【図１１】図９のタバコパッケージの背面図である。
【図１２】図９のタバコパッケージの平面図である。
【図１３】図９のタバコパッケージの側面図である。
【図１４】図９のタバコパッケージ用付属容器を組み立てた状態で示す前方からの斜視図である。
【図１５】図９のタバコパッケージ用付属容器を組み立てた状態で示す後方からの斜視図である。
【図１６】図９のタバコパッケージ用付属容器を使用状態で示す斜視図である。
【図１７】本発明に係るタバコパッケージ用付属容器のさらに別の例を示す斜視図である。
【図１８】図１７のタバコパッケージの正面図である。
【図１９】図１７のタバコパッケージの背面図である。
【図２０】図１７のタバコパッケージの平面図である。
【図２１】図１７のタバコパッケージの側面図である。
【図２２】図１７のタバコパッケージ用付属容器を組み立てた状態で示す前方からの斜視図である。
【図２３】図１７のタバコパッケージ用付属容器を組み立てた状態で示す後方からの斜視図である。
【図２４】図１７のタバコパッケージ用付属容器を使用状態で示す斜視図である。
【図２５】本発明に係るタバコパッケージ用付属容器のさらに別の例を示す斜視図である。
【図２６】図２５のタバコパッケージの正面図である。
【図２７】図２５のタバコパッケージの背面図である。
【図２８】図２５のタバコパッケージの平面図である。
【図２９】図２５のタバコパッケージの側面図である。
【図３０】図２５のタバコパッケージ用付属容器を組み立てた状態で示す前方からの斜視図である。
【図３１】図２５のタバコパッケージ用付属容器を組み立てた状態で示す後方からの斜視図である。
【図３２】図２５のタバコパッケージ用付属容器を使用状態で示す斜視図である。
【符号の説明】
【００５２】
Ｔ  タバコパッケージ
Ｌ  ライター
１０  タバコパッケージ用付属容器
１１  キャップ部
１１ａ  バリ
１１ｂ  段部
１２  収納部
１２ａ  連結部分
１２ｂ  膨出部分
１３  蓋パネル部
１３ａ  差込み部分
１３ｂ  補強リブ
α，β  折曲げ線
Ｓａ，Ｓｂ  スリット
【図１】
0004790497.tif 000002
【図２】
0004790497.tif 000003
【図３】
0004790497.tif 000004
【図４】
0004790497.tif 000005
【図５】
0004790497.tif 000006
【図６】
0004790497.tif 000007
【図７】
0004790497.tif 000008
【図８】
0004790497.tif 000009
【図９】
0004790497.tif 000010
【図１０】
0004790497.tif 000011
【図１１】
0004790497.tif 000012
【図１２】
0004790497.tif 000013
【図１３】
0004790497.tif 000014
【図１４】
0004790497.tif 000015
【図１５】
0004790497.tif 000016
【図１６】
0004790497.tif 000017
【図１７】
0004790497.tif 000018
【図１８】
0004790497.tif 000019
【図１９】
0004790497.tif 000020
【図２０】
0004790497.tif 000021
【図２１】
0004790497.tif 000022
【図２２】
0004790497.tif 000023
【図２３】
0004790497.tif 000024
【図２４】
0004790497.tif 000025
【図２５】
0004790497.tif 000026
【図２６】
0004790497.tif 000027
【図２７】
0004790497.tif 000028
【図２８】
0004790497.tif 000029
【図２９】
0004790497.tif 000030
【図３０】
0004790497.tif 000031
【図３１】
0004790497.tif 000032
【図３２】
0004790497.tif 000033